(57)【要約】      （修正有）【課題】ケーブル牽引用紐を電柱間に簡単かつ確実にかけわたしのできる先導具を提供する。【解決手段】電柱間に架設した吊線ｍに巻回支持させた螺旋状ハンガーｈの内側に配置し、しかも、ケーブル用牽引紐Ｒの先端を接続する先導具主体を備え、該先導具主体に、駆動ローラ６と従動ローラ１４を回動自在に枢着する。そして、前記駆動ローラ６を前記先導具主体に搭載した電源を駆動源とするモータ７に連けいする。【選択図】図１
2008072807.tif 000002
【特許請求の範囲】
【請求項１】
電柱間に架設した吊線に巻回支持させた螺旋状ハンガーの内側に配置し、しかも、ケーブル用牽引紐の先端を接続する先導具主体を備え、該先導具主体に、駆動ローラと従動ローラを回動自在に枢着し、各ローラの周面に係合溝を設け、該係合溝の奥壁側には該係合溝に係合する前記吊線が吸着する磁石を前記周面に沿って設けると共に、前記駆動ローラを前記先導具主体に搭載した電源を駆動源とするモータに連けいした、ケーブル用牽引紐の先導具。
【発明の詳細な説明】
【技術分野】
【０００１】
本発明は、電柱間に架設した吊線（概し、メッセンジャーワイヤー）に螺旋状ケーブルハンガーを巻回して前記電柱間に架設し、該螺旋状ケーブルハンガーに受支させるようにしてケーブルを電柱間に新たに架設する際に、ケーブルを前記吊線に沿って移動させるために用いるケーブル用牽引紐の先導具に関するものである。すなわち、一方の電柱から他の一方の電柱位置までわたしたケーブル用牽引紐を牽引して該牽引紐の末端側に接続したケーブルを螺旋状ケーブルハンガーに受支案内させて移動させることにより、ケーブルは電柱間に架設されるのであるが、本発明はケーブル用牽引紐の先端を一方の電柱側から他の一方の電柱位置に移動させるために用いるケーブル用牽引紐の先導具に関するものである。
【背景技術】
【０００２】
メインシャフトの先導頭部側に基部を止着して放射状に配した弾性杆の後端部を前記メインシャフトの後端部側において止着して前記弾性杆を円弧状にして螺旋状ケーブルハンガーの内縁に配置し、前記メインシャフトの後端に接続した剛性ワイヤー（ケーブル牽引用の）で押圧して前記メインシャフトを電柱間に移動させるようにした構造のものがある（例えば、特許文献１）。
【０００３】
【特許文献１】特開２００６−２５５９０号公報
【発明の開示】
【発明が解決しようとする課題】
【０００４】
前記従来構造のものは、剛性ワイヤーの剛性を利用して移動させる構成を採るため、その移動距離には自ら限界があり、また、高所での作業のため煩雑であり、危険性も伴う。
【０００５】
本発明は、このような従来例の欠点に着目し、ケーブル牽引用紐を電柱間に簡単かつ確実にかけわたしのできる先導具を提供することを目的として創案したものである。
【課題を解決するための手段】
【０００６】
電柱間に架設した吊線に巻回支持させた螺旋状ハンガーの内側に配置し、しかも、ケーブル用牽引紐の先端を接続する先導具主体を備え、該先導具主体に、駆動ローラと従動ローラを回動自在に枢着し、各ローラの周面に係合溝を設け、該係合溝の奥壁側には該係合溝に係合する前記吊線が吸着する磁石を前記周面に沿って設けると共に、前記駆動ローラを前記先導具主体に搭載した電源を駆動源とするモータに連けいした構成としたものである。
【発明の効果】
【０００７】
本発明によれば、電柱間に架設した吊線を駆動ローラと従動ローラのそれぞれの周面に設けた係合溝に係合するようにして先導具主体を前記吊線に組合わせると、係合溝の奥壁側に装置した磁石の作用により先導具主体は吊線に組合わされた状態を維持し、この状態にして駆動モータを作動させると、該モータに連けいした駆動輪は転動すなわち吊線に吸着した状態で転動し、吊線に沿って移動することになり、該移動に伴って従動ローラも吊線に吸着した状態で転動、移動し、ケーブル牽引紐の先端を一方の電柱から他方の電柱へと移動させることができ、ケーブル用の牽引紐を電柱間に張設した吊線に沿って移動させるに好適な先導具を提供できる。
【実施例】
【０００８】
図面は本発明に係るケーブル牽引紐の先導具の一実施例を示し、図１は正面図、図２は平面図、図３は図２の一部拡大断面図、図４は図３のｂ−ｂ線断面図、図５は図２のａ−ａ線拡大断面図、図６は図５のｃ−ｃ線断面図である。
【０００９】
図中、１は先導具主体で、先導具主体１は、相対して配置した、帯状の一対の主体板１ａ，１ａを間隙を置いて接続材１ｂ，…によって組付けて構成した枠体で成り、先導具Ａは、この主体１の長手方向の中央部に駆動部２を、前後両端部に従動部３，３をそれぞれ設け、駆動部２と従動部３との間に、駆動部２の電源（駆動源）と成る直列させた電池４，４（充電式にすると好適である）を交替可能に配して構成したものである。
【００１０】
駆動部２は、前記主体板１ａ，１ａに支軸５によって転動自在に枢着して前記主体板１ａの上縁より一部が突出するように配した駆動ローラ６と、前記電池４を電源として前記主体１に支持させた駆動モータ７との間に歯車（伝動）装置８を介在させて構成し、図示省略したスイッチ装置によって駆動モータ７を作動させて歯車装置８を介して駆動ローラ６を正逆自在に転動できるようにしてある。
【００１１】
駆動ローラ６は、磁石（実施例はネオジム磁石）で構成した円板状の芯材９の両面に円錐台状の金属板で成る外材１０，１０´を接着して構成し、その周側面に前記芯材９の外周面を奥壁とし、外材１０，１０´の外周面を側壁とする係合溝１１を設け、この係合溝１１に、電柱間に架設した吊線ｍが部分的に係合し、係合溝１１の奥壁を構成する芯材９の磁力により吊線ｍに吸着するようにしてある。
【００１２】
なお、駆動ローラ６を構成する一方の前記外材１０の表面には歯車部８ａを突設し、この歯車部８ａに第一、第二の仲介歯車８ｂ，８ｂ´を順次かみ合わせ、第二仲介歯車８ｂ´と同軸のクラウン歯車８ｃをモータ軸７ａに設けた駆動歯車８ｄにかみ合わせて前記歯車装置８を構成し、駆動ローラ６は、駆動モータ７の回転速度より減速した速度で回転（転動）する。
【００１３】
前記従動部３は、前記主体板１ａ，１ａに支軸１２によって車輪枠１３を回動自在に枢着し、車輪枠１３の前記支軸１２を中心とする前後に従動ローラ１４を転動自在に枢着して前記駆動ローラ６と同様に前記主体板１ａの上縁より一部が突出するように配して構成したものである。
【００１４】
車輪枠１３は、主体１と同様に相対して配した枠板１３ａ，１３ａを接続材１３ｂによって間隙を置いて接続して構成し、長手方向（主体１の前後方向）の中央部を前記支軸１２によって主体１に揺動自在に枢着し、前後両側に前記従動ローラ１４を配設したものである。
【００１５】
従動ローラ１４は、磁石（実施例はネオジム磁石）で構成した円板状の芯材１５の両面に円錐台状の金属板で成る外材１６を接着して構成し、その周側面に前記芯材１５の外周面を奥壁とし、外材１６の外周面を側壁とする係合溝１７を設け、この係合溝１７に、電柱間に架設した吊線ｍが部分的に係合し、係合溝１７の奥壁を構成する芯材１５の磁力により吊線ｍが吸着するように構成したものである。
【００１６】
そして、先導具Ａを吊線ｍに支持させた螺旋状ケーブルハンガーｈの内側に配するようにして駆動ローラ６と従動ローラ１４の各係合溝１１，１７を前記吊線ｍに係合させるようにすると、係合溝１１，１７部にはローラ６，１４を構成する芯材９の素材である磁石が配置されているので、各ローラ６，１４は吊線ｍに吸（磁）着し、先導具Ａは吊線ｍに吊るされた状態となる。
【００１７】
この状態で、スイッチによって回路を閉塞させて駆動モータ７を作動させると、その作動によって歯車装置８を介して駆動ローラ６は回動し、吊線ｍに吸着されつつ、該吊線ｍに沿って移動し、駆動ローラ６の転動に伴って従動ローラ１４も吊線ｍに吸着しつつ転動し、従って、先導具Ａは、一方の電柱から他の一方の電柱側へと両電柱間に張架した前記吊線ｍに沿って前進し、前進方向の後端の接続材１ｂに接続したケーブル用牽引紐Ｒの先端を前記一方の電柱から他の一方の電柱側へと移動させることができるのである。
【００１８】
なお、スイッチは地上から遠隔操作によってその操作を行うようにすると、作業性を向上させることができる。
【００１９】
従動ローラ１４の数、配置は適宜選択すれば良いが、実施例のように主体１に対して揺動自在に組付けた車輪枠１３に一対の従動ローラ１４，１４を配した構成にすると、走行中に吊線ｍが成す（吊線ｍが垂れて）曲路部に至ったときに、当該車輪枠１３の一方の従動ローラ１４が吊線ｍより離脱して他方の従動ローラ１４の吊線ｍに対する吸着状態を保つことができるから好適である。
【００２０】
各ローラ６，１４の構成は、実施例のものに限る必要はないが、吊線ｍが部分的に係合する係合溝１１，１７と該係合溝１１，１７部において吊線ｍに吸着するための磁石は備えておくべきで、磁石は、ローラ６，１４が係合溝１１，１７部において吊線ｍに係合して（案内されて）、しかも、吊線ｍに吸着した状態での円滑な転動を期待するのであれば、係合溝１１，１７の奥壁（底）に配するべきである。
【図面の簡単な説明】
【００２１】
【図１】正面図。
【図２】平面図。
【図３】図２の一部拡大断面図。
【図４】図３のｂ−ｂ線断面図。
【図５】図２のａ−ａ線拡大断面図。
【図６】図５のｃ−ｃ線断面図。
【符号の説明】
【００２２】
１      先導具主体
６      駆動ローラ
７      モータ
１４    従動ローラ
ｈ      螺旋状ハンガー
ｍ      吊線
Ｒ      ケーブル用牽引紐
【図１】
2008072807.tif 000003
【図２】
2008072807.tif 000004
【図３】
2008072807.tif 000005
【図４】
2008072807.tif 000006
【図５】
2008072807.tif 000007
【図６】
2008072807.tif 000008